(57)【特許請求の範囲】
【請求項１】
湯水を貯湯するタンクと、前記タンク内の湯水を下部から上部に循環させながら成層状態で沸き上げる沸き上げ手段と、前記タンク内の湯水を上部から下部に循環させながら暖房熱交換器を介して負荷側に熱量を供給する暖房回路と、前記暖房回路の運転の入／切を指示する暖房スイッチと、暖房運転の開始時刻及び停止時刻を設定する第１のタイマー手段と、前記第１のタイマー手段とは別に暖房運転の開始時刻及び停止時刻を設定する第２のタイマー手段と、前記暖房スイッチ上に設けた前記暖房運転の状態を表示する運転表示部と、前記それぞれのタイマー手段上に設けた前記タイマー手段の設定状態を表示するタイマー表示部と、前記タイマー手段で設定された時刻に暖房運転を停止または開始させる制御手段と、現在時刻を表示する時計表示部と、予約されたタイマー時刻とタイマーの停止／開始の情報を表示するタイマー時刻表示部とを有する貯湯式給湯装置のタイマー装置であって、前記暖房スイッチと前記タイマー手段とを並べて配設し、前記運転表示部とタイマー表示部は異なる表示形態で表示し、暖房運転中か、タイマー運転待機中か、タイマー運転中か、を一目で判別できるようにすると共に、タイマー時刻表示部には次に動作するタイマー運転の停止時刻／開始時刻の情報を表示することを特徴とする貯湯式給湯装置のタイマー装置。
【請求項２】
運転表示部とタイマー表示部の点灯色を異なる色とし、暖房運転中か、タイマー運転待機中か、タイマー運転中か、を一目で判別できるようにした請求項１記載の貯湯式給湯装置のタイマー装置。
【請求項３】
タイマー時刻表示部には、順次動作するタイマー時刻と停止／開始の情報を複数並べて表示することを特徴とする請求項１または２記載の貯湯式給湯装置のタイマー装置。
【発明の詳細な説明】
【技術分野】
【０００１】
本発明は、貯湯式給湯装置の貯湯水を利用して暖房運転を行う多機能式給湯装置に関し、特に、所望時間経過後に停止または開始させるタイマー運転時の表示方法を改良したタイマー装置に関する。
【背景技術】
【０００２】
従来、この種のタイマー装置は、入タイマーや切りタイマーの時刻を予め設定しておくことで、設定時刻に自動運転や、自動停止できるようになっている。（例えば、特許文献１参照）
また、入・切の組み合わせを複数設定し１日の間に例えば朝６時から９時まで自動運転し、夜１８  時から２２時まで自動運転するものもある（例えば、特許文献２参照）。
【特許文献１】特開平７−１８０８９４号公報
【特許文献２】特開平４−１１３１３３号公報
【発明の開示】
【発明が解決しようとする課題】
【０００３】
しかしながら、従来の入／切タイマーでは、各タイマー設定時刻の表示位置が固定されているので、現在の運転状態により次に動作するタイマーがどちらになるか解りにくい。例えば、入タイマー６：００、切タイマー２３：００と設定されていた場合、２３時以前に運転を手動で停止させると、２３：００の切タイマーはすでに停止しているので動作せず、また２３時以降に手動で運転すると朝６：００のタイマーも動作しないということになる。
【０００４】
また、複数の時間帯を設定できるタイマーでは、複数の時間帯を表示させるためアナログ時計のように２４時間を１時間毎のセグメントを２４個並べたもので表し、設定された動作時間帯を点灯させて表示させているが、限られた場所で表示させると表示部が小さくなり見にくくなり、見やすくするために表示部を大きくすると全体が大きくなってしまうという問題があった。もし、複数のタイマー設定時間帯を全て表示すると煩雑となり、やはり見にくくなってしまい使い勝手が悪くなる。また、暖房運転を手動で指示する暖房運転指示手段と、暖房運転を設定した時刻に入切するタイマー運転指示手段とを並設したような場合、現在の状態が暖房運転中なのか、タイマー待機中なのか、タイマー運転中なのか、を一目で判別することができず、指示手段が設置された近くまで行って確認する必要があり、使い勝手の面でも困難を強いられるものでもあった。
【０００５】
本発明は上記課題を解決するもので、現在の運転状態を遠くからでも一目で確認することができるとともに、次のタイマー運転の情報も併せて確認することができる表示形態を提供することを目的とするものである。
【課題を解決するための手段】
【０００６】
前記従来の課題を解決するために、本発明の貯湯式給湯装置のタイマー装置は、現在時刻表示部とは別にタイマー時刻表示部を設け、現在の運転状態により次に動作するタイマー設定時刻を、運転動作と併せて表示するとともに、運転の入／切を指示する暖房スイッチ上に設けた暖房運転の状態を表示する運転表示部と、運転の開始時刻及び停止時刻を設定するタイマー手段上に設けたタイマー運転の状態を表示するタイマー表示部とを異なる表示形態とし、前記暖房スイッチと前記タイマー手段とを並べて配設している。
【０００７】
上記発明によれば、運転表示形態とタイマー表示形態を異なる表示形態としているため、現在の運転状態が、暖房運転中なのか、タイマー待機中なのか、タイマー運転中なのか、を遠くからでも一目で判別することができ、かつ、次のタイマー運転の情報が容易に確
認することができるため、使い勝手の向上を図ることができる。例えば、第１のタイマー手段の設定が入タイマー６：００、切タイマー９：００、第２のタイマー手段の設定が入タイマー１８：００、切タイマー２２：００の時、現在時刻が７：００で運転していた場合、タイマー表示部は「切  ９：００」となり、もし７：００時に手動で運転停止させていた場合、９：００の切タイマーは無効となりタイマー表示部は「入  １８：００」となる。
【発明の効果】
【０００８】
本発明の貯湯式給湯装置のタイマー装置は、現在の運転状態に応じて次に動作する有効なタイマー動作と時刻を表示するので、複数のタイマーが設定されていてもわかりやすく、間違った設定をしても気が付きやすい。さらに、運転表示形態とタイマー表示形態を異なる表示形態としているため、現在の運転状態が、暖房運転中なのか、タイマー待機中なのか、タイマー運転中なのか、を遠くからでも一目で判別することができる。
【発明を実施するための最良の形態】
【０００９】
第１の発明は、湯水を貯湯するタンクと、前記タンク内の湯水を下部から上部に循環させながら成層状態で沸き上げる沸き上げ手段と、前記タンク内の湯水を上部から下部に循環させながら暖房熱交換器を介して負荷側に熱量を供給する暖房回路と、前記暖房回路の運転の入／切を指示する暖房スイッチと、暖房運転の開始時刻及び停止時刻を設定する第１のタイマー手段と、前記第１のタイマー手段とは別に暖房運転の開始時刻及び停止時刻を設定する第２のタイマー手段と、前記暖房スイッチ上に設けた前記暖房運転の状態を表示する運転表示部と、前記それぞれのタイマー手段上に設けた前記タイマー手段の設定状態を表示するタイマー表示部と、前記タイマー手段で設定された時刻に暖房運転を停止または開始させる制御手段と、現在時刻を表示する時計表示部と、予約されたタイマー時刻とタイマーの停止／開始の情報を表示するタイマー時刻表示部とを有する貯湯式給湯装置のタイマー装置であって、前記暖房スイッチと前記タイマー手段とを並べて配設し、前記運転表示部とタイマー表示部は異なる表示形態で表示し、暖房運転中か、タイマー運転待機中か、タイマー運転中か、を一目で判別できるようにすると共に、タイマー時刻表示部には次に動作するタイマー運転の停止時刻／開始時刻の情報を表示することを特徴とするものである。
【００１０】
そして、現在の運転状態に応じて次に動作する有効なタイマー動作と時刻を表示するので、複数のタイマーが設定されていてもわかりやすく、間違った設定をしても気が付きやすい。さらに、運転表示形態とタイマー表示形態を異なる表示形態としているため、現在の運転状態が、暖房運転中なのか、タイマー待機中なのか、タイマー運転中なのか、を遠くからでも一目で判別することができる。
【００１１】
第２の発明は、運転表示部とタイマー表示部の点灯色を異なる色とし、暖房運転中か、タイマー運転待機中か、タイマー運転中か、を一目で判別できるようにしたことを特徴とするものである。
【００１２】
そして、運転表示部とタイマー表示部の表示形態として、点灯色を異なる色としているため、暖房運転中、タイマー運転待機中、タイマー運転中を区別して表示することができ、遠くからでも現在の運転状態を一目で判別することができる。
【００１３】
第３の発明は、タイマー時刻表示部には、順次動作するタイマー時刻と停止／開始の情報を複数並べて表示するようにしたことを特徴とするものである。
【００１４】
そして、次のまたその次のタイマー動作も把握でき、より解かりやすくできる。
以下、本発明の実施の形態について、図面を参照しながら説明する。なお、この実施の形
態によって本発明が限定されるものではない。
【００１５】
（実施の形態１）
図１は本発明の第１の実施の形態における貯湯式給湯装置の構成図を示すものである。図において、１０はお湯を貯湯するタンクであり、上部には給湯管１１を、タンク１０の下部には給水管１２を有している。給水管１２は上水道が接続される給水口１３から、水道圧を減圧させる減圧弁１４を介して接続されている。タンク１０内では、比重差からお湯が上部、水が下部に分離し、タンク１０内の湯水の沸き上げ時にはタンク１０上部からお湯が貯湯されることで、お湯が押し下げられる形で層を形成して蓄積される。そして、給湯管１１から給湯されると、それに伴い給水管１２からタンク１０内に水が給水されて、タンク１０内は常に湯水で満たされた状態となる。タンク１０には、下部から上部へと連結された沸き上げ配管１５が接続されてあり、その沸き上げ配管１５には、沸き上げポンプ１６と熱源部１７が介在している。沸き上げポンプ１６を駆動することで、タンク１０下部の湯水を熱源部１７へと供給し、熱源部１７によって湯水が加熱した後、タンク１０上部へと戻されることで貯湯されていく。このとき熱源部１７は、二酸化炭素等を冷媒としたヒートポンプサイクルを有したヒートポンプ若しくヒータとする。上記のように構成された沸き上げ手段によりタンク１０には上部が高温水、下部が低温水となるように層をなして貯留されている。このタンク上部の高温水を取り出し下部に戻す循環回路１８を形成し、この循環回路１８に暖房用熱交換器１９及び暖房循環ポンプ２０を配することで、タンク上部の高温水を利用して負荷２１に熱量を供給する暖房回路２２を構成している。
【００１６】
また、本実施の形態では暖房回路２２と並設して風呂追い焚き回路２３を設けており、上記同様にタンク上部の高温水を風呂用熱交換器２４を介して風呂循環ポンプ２５でタンク下部に循環させることで浴槽２６の湯水と熱交換するように構成している。
【００１７】
さらに、タンク１０内の湯水は混合弁２７を介して所望の湯温に調整した後、カラン２８、シャワー２９に供給する給湯回路３０を構成している。
【００１８】
以上のように構成された貯湯式給湯装置において、暖房運転の指示はリモコン３１により行われる。
【００１９】
そこで、リモコン３１と負荷２１となる暖房器と熱源部１７の関係を図２のブロック図に示す。また、図３にリモコン３１の外観を示す。
【００２０】
図２に示すように、暖房器１０１は熱源部１０２とその運転及び停止を行う暖房器制御部１０３で構成され、暖房器制御部１０３は、リモコン１０４で操作設定された情報により動作するように構成されている。リモコン１０４は、パネル部１０５の表示内容を制御するリモコン制御部１０６と、パネル部１０５に表示を行うための情報や暖房温度の設定値や時刻等を記憶する記憶部１０７と、設定値を入力する入力部１０８を備えている。
【００２１】
また、図３に示すように、入力部１０８は、現在時刻設定、タイマー時刻設定を行う時に設定画面を呼び出すメニュースイッチ２０１と、パネル部１０５に表示される選択肢の中から特定の設定確認項目を選択する選択スイッチ２０２と、選択スイッチ２０２により選択された設定確認項目を確定する確定スイッチ２０３、暖房器の運転及び停止を行う暖房スイッチ２０４、第１のタイマー手段となるタイマー１スイッチ２０５、第２のタイマー手段となるタイマー２スイッチ２０６とから構成されている。タイマー１スイッチ２０５を操作し運転にすると、あらかじめ設定したタイマー１設定の入／切時刻に運転／停止され、タイマー２スイッチ２０６を操作し運転にすると、あらかじめ設定したタイマー２設定の入／切時刻に運転／停止される。両方運転した場合には、タイマー１設定、２設定
の両方の入／切時刻に運転／停止される。パネル部１０５には、時計表示部２０７に現在時刻が表示され、タイマー時刻表示部２０８に次に動作するタイマー時刻と「入」／「切」が併せて表示される。
【００２２】
また、暖房スイッチ２０４の操作に連動して暖房運転の状態を表示する運転表示部２０４ａが設けられ、タイマー１スイッチ２０５の操作に連動して第１のタイマー手段によるタイマー設定の状態を表示するタイマー表示部２０５ａおよびタイマー２スイッチ２０６の操作に連動して第２のタイマー手段によるタイマー設定の状態を表示するタイマー表示部２０６ａが設けられている。そして、前記運転表示部２０４ａは暖房運転が指示された状態においては赤色の点灯状態で表示するようにし、タイマー表示部２０５ａ及び２０６ａはタイマー時刻が設定されタイマー運転が指示されるとオレンジ色の点灯状態で表示し、タイマー運転待機中においてはタイマー表示部２０５ａまたは２０６ａのみがオレンジ色の点灯状態となる。そして、設定された入タイマー時刻になると運転表示部２０４ａの赤色点灯とタイマー表示部２０５ａまたは２０６ａのオレンジ色点灯が同時に点灯してタイマー運転状態に入ったことが判別できるようになる。
【００２３】
このように、運転表示部２０４ａとタイマー表示部２０５ａ及び２０６ａを異なる点灯色で点灯させることで、現在の運転状態が、暖房運転中か、タイマー運転待機中か、タイマー運転中か、を一目で判別できるようになる。
【００２４】
本実施の形態においては、赤色点灯とオレンジ色点灯の組み合わせにおいて表示形態を区別するようにしたが、これ以外の点灯色の組み合わせでもよく、さらに、点灯と点滅の組み合わせでもよいことはいうまでもない。
【００２５】
以上のように構成されたリモコン１０４について、さらに詳細動作について説明する。
【００２６】
図４はタイマー時刻表示部の説明図で、３０１はタイマー１及びタイマー２の時刻設定値で、３０２は、１日の時間軸を表している。３０３はタイマー時刻表示部の値で「入」「切」で表されているのは、時間軸３０２時点の暖房器の運転状態を表している。
【００２７】
タイマー設定値３０１では、タイマー１は、入５：３０、切９：００、タイマー２は、入１８：１０、切２１：４０に設定されている。この時、時間軸３０２のａの区間では、運転が「切」の時Ａの表示となり次の運転はタイマー１の入が有効となり、入  ５：３０の表示となる。もしこの区間で手動で運転が「入」にされた場合はＢの表示となりタイマー１の入は無効となりタイマー１の切が有効となり、切  ９：００の表示となる。ｂからｄの区間についても同様に図４の表示となり、現在「入」の場合は次の「切」のタイマー時刻が有効となるので、タイマー表示部には切時刻が表示され、反対に現在「切」の場合は次の「入」のタイマー時刻が有効となるので、タイマー表示部には入時刻が表示される。
【００２８】
したがって、現在の運転状態に応じて次に動作する有効なタイマー動作と時刻を表示するので、複数のタイマーが設定されていてもわかりやすく、間違った設定をしても気が付きやすい。
【００２９】
（実施の形態２）
第１の実施の形態では、複数設定されたタイマー時刻の中で次に動作するタイマー時刻を表示したものである。
【００３０】
第２の実施の形態では、図５のように、さらにその次のタイマー時刻を表示することで、その次のタイマー動作も把握できより解かりやすくできる。
【００３１】
なお、第２の実施の形態では次のタイマー時刻設定を２個表示したが３個以上表示してもよい。例えば、設定有効なタイマー時刻をすべて表示することで設定もれが無いかどうかを確認できる。
【産業上の利用可能性】
【００３２】
以上のように、本発明にかかるタイマー装置は、空気調和機や暖房器の運転／停止タイマー装置として適用可能である。
【図面の簡単な説明】
【００３３】
【図１】本発明の実施の形態１における貯湯式給湯装置の構成図
【図２】同実施の形態の暖房器の構成を示すブロック図
【図３】同実施の形態のリモコンの外観図
【図４】同実施の形態のタイマー時刻表示部の説明図
【図５】本発明の実施の形態２のタイマー時刻表示部の説明図
【符号の説明】
【００３４】
１０５  パネル部
１０６  リモコン制御部
１０８  入力部
２０４  暖房スイッチ
２０４ａ  運転表示部
２０５  タイマー１スイッチ（第１のタイマー手段）
２０５ａ  タイマー表示部
２０６  タイマー２スイッチ（第２のタイマー手段）
２０６ａ  タイマー表示部
２０７  時計表示部
２０８  タイマー時刻表示部
【図２】
0004661490.tif 000002
【図４】
0004661490.tif 000003
【図５】
0004661490.tif 000004
【図１】
0004661490.tif 000005
【図３】
0004661490.tif 000006